(57)【要約】【課題】  カラーモニタのキャリブレーション及びプロファイル作成の際に行なわれる各段階において、種々の測色法のうちから、各段階の目的に応じた最適な測色を１台の測色器を用いて行なうカラーモニタのマネジメント方法及びカラーマネジメントシステムを提供する。【解決手段】  １の測色器を用いたカラーモニタのキャリブレーション方法において、環境光が照射された基準となる白色を有する基準物体を、前記１の測色器にて測色して基準となる白色の測色値としての基準測色値を取得し、且つ、前記環境光が照射された前記カラーモニタに表示された白色を、前記１の測色器にて測色して前記カラーモニタに表示された白色の測色値としてのモニタ測色値を取得する測色値取得工程と、前記モニタ測色値が、前記基準測色値と一致するよう前記カラーモニタの色調整を行なう白色調整工程と、前記環境光を遮断した状態で、前記カラーモニタに表示したカラーパッチを前記１の測色器にて測色して階調再現特性の調整を行なう階調再現特性調整工程と、を有することを特徴とする。【選択図】  図１
2006349835.tif 000002
【特許請求の範囲】
【請求項１】
１の測色器を用いたカラーモニタのキャリブレーション方法において、
環境光が照射された基準となる白色を有する基準物体を、前記１の測色器にて測色して基準となる白色の測色値としての基準測色値を取得し、且つ、前記環境光が照射された前記カラーモニタに表示された白色を、前記１の測色器にて測色して前記カラーモニタに表示された白色の測色値としてのモニタ測色値を取得する測色値取得工程と、
前記モニタ測色値が、前記基準測色値と一致するよう前記カラーモニタの色調整を行なう白色調整工程と、
前記環境光を遮断した状態で、前記カラーモニタに表示したカラーパッチを前記１の測色器にて測色して階調再現特性の調整を行なう階調再現特性調整工程と、
を有することを特徴とするカラーモニタのキャリブレーション方法。
【請求項２】
請求項１に記載のカラーモニタのキャリブレーション方法において、
前記階調再現特性調整工程における前記環境光を遮断した状態とは、前記カラーモニタの表示画面に前記１の測色器を接触させた状態であることを特徴とするカラーモニタのキャリブレーション方法。
【請求項３】
請求項１又は２に記載のカラーモニタのキャリブレーション方法において、
前記測色値取得工程における、前記基準物体を前記１の測色器にて測色する際の、前記基準物体と前記１の測色器との距離と、前記カラーモニタに表示された白色を前記１の測色器にて測定する際の、前記カラーモニタの表示画面と前記１の測色器との距離は、前記基準物体と前記カラーモニタに照射される前記環境光の影響が等しい範囲において同一であることを特徴とするカラーモニタのキャリブレーション方法。
【請求項４】
請求項１乃至３のいずれか一項に記載のカラーモニタのキャリブレーション方法において、
前記カラーモニタに表示された白色を前記１の測色器にて測定する際の前記１の測色器の測定位置は、前記カラーモニタに表示された白色箇所の大きさ、及び前記カラーモニタの表示画面と前記１の測色器の角度、及び前記カラーモニタの表示画面と前記環境光を作り出す照明光の光源の角度、及び前記１の測色器内における測色部と前記照明光方向における当該１の測色器の端部との長さ、に基づいて定められることを特徴とするカラーモニタのキャリブレーション方法。
【請求項５】
請求項４に記載のカラーモニタのキャリブレーション方法において、
前記カラーモニタに表示された白色を前記１の測色器にて測定する際における、前記カラーモニタの表示画面と前記１の測色器との距離をＬとし、
前記カラーモニタに表示された白色箇所は、水平方向の長さをＰｘとし、垂直方向の長さをＰｙとした四角形の白色パッチであるとし、
前記カラーモニタの表示画面と前記１の測色器の水平方向の角度をθw、垂直方向の角度をθhとし、
前記カラーモニタの表示画面と前記環境光を作り出す照明光の光源の角度をθlとし、
前記１の測色器内における測色部と前記照明光の光源方向における当該１の測色器の端部との長さをＭとすると、
前記カラーモニタの表示画面と前記１の測色器との距離Lは、以下の式（１）乃至（３）を満たすことを特徴とするカラーモニタのキャリブレーション方法。
【数１】
2006349835.tif 000010
【数２】
2006349835.tif 000011
【数３】
2006349835.tif 000012
【請求項６】
請求項１乃至５のいずれか一項に記載のカラーモニタのキャリブレーション方法によるキャリブレーションを行った後に行われるカラーモニタのプロファイル作成方法において、
前記環境光を遮断した状態で、前記カラーモニタに表示した複数のカラーパッチを前記１の測色器にてそれぞれ測色して当該カラーモニタのプロファイルを作成する工程を有することを特徴とするカラーモニタのプロファイル作成方法。
【請求項７】
請求項６に記載のカラーモニタのプロファイル作成方法において、
前記環境光を遮断した状態とは、前記カラーモニタの表示画面に前記１の測色器を接触させた状態であることを特徴とするカラーモニタのプロファイル作成方法。
【請求項８】
１の測色器を用いたカラーモニタのキャリブレーションシステムに含まれるコンピュータを、
環境光が照射された基準となる白色を有する基準物体を、前記１の測色器にて測色して基準となる白色の測色値としての基準測色値を取得し、且つ、前記環境光が照射された前記カラーモニタに表示された白色を、前記１の測色器にて測色して前記カラーモニタに表示された白色の測色値としてのモニタ測色値を取得する測色値取得手段、
前記モニタ測色値が、前記基準測色値と一致するよう前記カラーモニタの色調整を行なう白色調整手段及び
前記環境光を遮断した状態で、前記カラーモニタに表示したカラーパッチを前記１の測色器にて測色して階調再現特性の調整を行なう階調再現特性調整手段として機能させることを特徴とするカラーモニタのキャリブレーションプログラム。
【請求項９】
請求項８に記載のカラーモニタのキャリブレーションプログラムにおいて、
前記階調再現特性調整手段を、前記環境光を遮断した状態を、前記カラーモニタの表示画面に前記１の測色器を接触させた状態として機能させることを特徴とするカラーモニタのキャリブレーションプログラム。
【請求項１０】
請求項８又は９に記載のカラーモニタのキャリブレーションプログラムにおいて、
前記測色値取得手段を、前記基準物体を前記１の測色器にて測色する際の、前記基準物体と前記１の測色器との距離と、前記カラーモニタに表示された白色を前記１の測色器にて測定する際の、前記カラーモニタの表示画面と前記１の測色器との距離は、前記基準物体と前記カラーモニタに照射される前記環境光の影響が等しい範囲において同一であるよう機能させることを特徴とするカラーモニタのキャリブレーションプログラム。
【請求項１１】
請求項８乃至１０のいずれか一項に記載のカラーモニタのキャリブレーションプログラムにおいて、
前記カラーモニタに表示された白色を前記１の測色器にて測定する際の前記１の測色器の測定位置は、前記カラーモニタに表示された白色箇所の大きさ、及び前記カラーモニタの表示画面と前記１の測色器の角度、及び前記カラーモニタの表示画面と前記環境光を作り出す照明光の光源の角度、及び前記１の測色器内における測色部と前記照明光方向における当該１の測色器の端部との長さ、に基づいて定められることを特徴とするカラーモニタのキャリブレーションプログラム。
【請求項１２】
請求項１１に記載のカラーモニタのキャリブレーションプログラムにおいて、
前記カラーモニタに表示された白色を前記１の測色器にて測定する際における、前記カラーモニタの表示画面と前記１の測色器との距離をＬとし、
前記カラーモニタに表示された白色箇所は、水平方向の長さをＰｘとし、垂直方向の長さをＰｙとした四角形の白色パッチであるとし、
前記カラーモニタの表示画面と前記１の測色器の水平方向の角度をθw、垂直方向の角度をθhとし、
前記カラーモニタの表示画面と前記環境光を作り出す照明光の光源の角度をθlとし、
前記１の測色器内における測色部と前記照明光の光源方向における当該１の測色器の端部との長さをＭとすると、
前記カラーモニタの表示画面と前記１の測色器との距離Lは、以下の式（１）乃至（３）を満たすことを特徴とするカラーモニタのキャリブレーションプログラム。
【数１】
2006349835.tif 000013
【数２】
2006349835.tif 000014
【数３】
2006349835.tif 000015
【請求項１３】
請求項８乃至１２のいずれか一項に記載のカラーモニタのキャリブレーションプログラムにより機能されるコンピュータを、
前記環境光を遮断した状態で、前記カラーモニタに表示した複数のカラーパッチを前記１の測色器にてそれぞれ測色して当該カラーモニタのプロファイルを作成するプロファイル作成手段として更に機能させることを特徴とするカラーモニタのプロファイル作成プログラム。
【請求項１４】
請求項１３に記載のカラーモニタのプロファイル作成プログラムにおいて、
前記環境光を遮断した状態とは、前記カラーモニタの表示画面に前記１の測色器を接触させた状態であることを特徴とするカラーモニタのプロファイル作成プログラム。
【請求項１５】
１の測色器を用いたカラーモニタのキャリブレーションシステムであって、前記１の測色器及び前記カラーモニタと情報の授受が可能に接続されたコンピュータを含むカラーモニタのキャリブレーションシステムにおいて、
前記コンピュータは、
環境光が照射された基準となる白色を有する基準物体を、前記１の測色器にて測色して基準となる白色の測色値としての基準測色値を取得し、且つ、前記環境光が照射された前記カラーモニタに表示された白色を、前記１の測色器にて測色して前記カラーモニタに表示された白色の測色値としてのモニタ測色値を取得する測色値取得手段、
前記モニタ測色値が、前記基準測色値と一致するよう前記カラーモニタの色調整を行なう白色調整手段及び
前記環境光を遮断した状態で、前記カラーモニタに表示したカラーパッチを前記１の測色器にて測色して階調再現特性の調整を行なう階調再現特性調整手段、
を有することを特徴とするカラーモニタのキャリブレーションシステム。
【請求項１６】
請求項１５に記載のカラーモニタのキャリブレーションシステムを含むカラーモニタのカラーマネジメントシステムにおいて、前記コンピュータは、
前記環境光を遮断した状態で、前記カラーモニタに表示した複数のカラーパッチを前記１の測色器にてそれぞれ測色して当該カラーモニタのプロファイルを作成するプロファイル作成手段を有することを特徴とするカラーモニタのカラーマネジメントシステム。
【発明の詳細な説明】
【技術分野】
【０００１】
本発明は、カラーモニタを用いたカラーマネジメントを行なう際に、カラーモニタの色再現及び階調再現特性を所望の状態に調整するカラーモニタのキャリブレーション方法等に関する。
【背景技術】
【０００２】
近年、スキャナ、デジタルカメラなどの入力機器、カラーモニタなどの表示機器、或いはプリンタなどの印刷機器等の各種デバイス（出力機器）の特性を把握し、その特性をファイルに記述し、その特性ファイルを用いて様々なデバイスの色を合わせるカラーマネジメントという技術が一般的になってきた。このカラーマネジメントは、ＩＣＣ（International Color Consortium）が提唱するＩＣＣ規格に従って行われることが一般的であり、ＩＣＣでは特性ファイルのことをプロファイルと呼ぶ。
【０００３】
カラーモニタのカラーマネジメントを行うためには、カラーモニタの特性に依存する色空間（ＲＧＢ）と、デバイスに依存しない色空間（ＣＩＥＸＹＺ，ＣＩＥＬａｂ等）との間の色変換を行なうべく、カラーモニタのキャリブレーションとして、白色の色度や輝度等を調整する白色調整と、階調再現特性の調整を行った後に、カラーモニタのプロファイル作成を行なう。なお、本出願人はカラーモニタのキャリブレーション及びプロファイル作成の方法に関して特許出願（特願２００４−０６２６０２号）をしていることを付記しておく。
【０００４】
そして、上記白色調整のための基準となる白色の測色、及びカラーモニタの画面に表示した白色の測色、及び上記階調再現特性の調整のためのカラーモニタの画面に表示したグレースケール等のカラーパッチの測色を行なう必要があり、更に上記プロファイル作成の際には、色変換を行なうためのＲＧＢ三原色の測色が必要となるのである。
【０００５】
このような測色を行なう方法として、大きく分けて、＜１＞目視で行なう方法。＜２＞接触型測色器を用いる方法。＜３＞非接触型測色器を用いる方法。がある。
【０００６】
＜１＞目視で行なう方法によれば、特別な機器を必要としないので、安価であり、且つ、キャリブレーション及びプロファイル作成において環境光の影響（測定環境における照明光の影響）を反映させることができるという利点がある。例えば特許文献１には、ディザ画像と連続階調画像とのマッチングによる階調再現特性の調整の技術が開示されている。
【０００７】
＜２＞接触型測色器を用いる方法では、白色と階調再現特性の目標値を定め、カラーモニタの画面に所定のＲＧＢ値のカラーパッチを表示して測色し、この測色値が目標値に近づくようにカラーモニタの調整又はビデオカードの調整を行ない、更にプロファイルを作成する。この方法によれば、測色器本体を測色対象（基準となる白色を有する物体、カラーモニタ画面）に接触させて測色するため、繰り返し再現性の高い安定した測定が行なえ、かつ、環境光の影響（測定環境における照明光の影響）を排除したカラーモニタの機器本来の固有の表示特性を測ることができるという利点がある。
【０００８】
＜３＞非接触型測色器を用いる方法によれば、キャリブレーション及びプロファイル作成において環境光の影響（測定環境における照明光の影響）を反映させつつ安定した測定が行なえるという利点がある。
【０００９】
また、特許文献２には、カラーモニタのキャリブレーションの際に用いる白の基準値と、プロファイル作成の際に用いる白の基準値と、を同一の基準値を用いてプロファイルを作成する方法にかかる技術について開示されている。
【特許文献１】特開平６−３５４３０号公報
【特許文献２】特開２００５−０９４４００号公報
【発明の開示】
【発明が解決しようとする課題】
【００１０】
上述した従来のカラーモニタのカラーマネジメントにおけるキャリブレーション及びプロファイル作成では、上述した３つの測色法のうち何れか一つを選択して使用する。しかしながら、上述した３つの測色法は、利点だけでなく欠点も同時に併せ持つ。すなわち、＜１＞目視で行なう方法では、個人差が生じ、繰り返し再現性に欠ける。また、＜２＞接触型測色器を用いる方法では、キャリブレーション及びプロファイル作成において環境光の影響（測定環境における照明光の影響）を反映させることができない。さらに、＜３＞非接触型測色器を用いる方法では、機器本体が接触型測色器に比べて非常に高価であり、更に非接触型測色器とカラーモニタの画面との距離、画面との角度など、が測色値に影響を及ぼしてしまう。また、環境光の影響を反映させてしまうので、カラーモニタの機器本来の固有の表示特性が得られない。
【００１１】
従って、カラーモニタのカラーマネジメントの際に単一の測色法を用いた場合、いずれの測色法も上記の如く欠点がありどれも最適な測色法であるとはいえない。
【００１２】
一方、上述したキャリブレーション及びプロファイル作成の際に行なわれる各段階における処理（例えば、キャリブレーションにおける白色の測色及び階調再現特性における測色、プロファイル作成におけるＲＧＢ三原色の測色）に応じた最適な測色法を、それぞれの処理ごとに選択して使用することも考えられるが、その場合には、非接触型測色器と接触型測色器の２台の測色器が必要となり、特に非接触型測色器は非常に高価なため、コスト高となる。
【００１３】
そこで、本発明は上記課題に鑑みてなされたものであり、カラーモニタのカラーマネジメントシステム（キャリブレーション及びプロファイル作成）の際に行なわれる各段階において、種々の測色法のうちから、各段階の目的に応じた最適な測色を１台の測色器を用いて行うカラーモニタのマネジメント方法及びカラーマネジメントシステムを提供することを目的する。
【課題を解決するための手段】
【００１４】
上記課題を解決するため、請求項１に記載の発明は、１の測色器を用いたカラーモニタのキャリブレーション方法において、環境光が照射された基準となる白色を有する基準物体を、前記１の測色器にて測色して基準となる白色の測色値としての基準測色値を取得し、且つ、前記環境光が照射された前記カラーモニタに表示された白色を、前記１の測色器にて測色して前記カラーモニタに表示された白色の測色値としてのモニタ測色値を取得する測色値取得工程と、前記モニタ測色値が、前記基準測色値と一致するよう前記カラーモニタの色調整を行なう白色調整工程と、前記環境光を遮断した状態で、前記カラーモニタに表示したカラーパッチを前記１の測色器にて測色して階調再現特性の調整を行なう階調再現特性調整工程と、を有することを特徴とする。
【００１５】
これによれば、カラーモニタに表示された白色の測色値としてのモニタ測色値、及び基準となる白色の測色値としての基準測色値を、環境光の影響を反映させて取得し、一方、階調再現特性の際には、カラーモニタ固有の表現特性を調整可能すべく、環境光の影響を受けることなく測色を行なうよう構成したので、カラーモニタのカラーマネジメントの際に行なわれる各段階において、種々の測色法のうちから、各段階の目的に応じた最適な測色法を各処理段階に適した測色を1台の測色器で行なうことが可能になる。
【００１６】
上記課題を解決するため、請求項２に記載の発明は、請求項１に記載のカラーモニタのキャリブレーション方法において、前記階調再現特性調整工程における前記環境光を遮断した状態とは、前記カラーモニタの表示画面に前記１の測色器を接触させた状態であることを特徴とする。
【００１７】
これによれば、測定対象となるカラーモニタの表示画面に測色器を接触させた状態で測色することにより、環境光を遮断しつつ、しかも安定した測定を行なうことができる。
【００１８】
上記課題を解決するため、請求項３に記載の発明は、請求項１又は２に記載のカラーモニタのキャリブレーション方法において、前記測色値取得工程における、前記基準物体を前記１の測色器にて測色する際の、前記基準物体と前記１の測色器との距離と、前記カラーモニタに表示された白色を前記１の測色器にて測定する際の、前記カラーモニタの表示画面と前記１の測色器との距離は、前記基準物体と前記カラーモニタに照射される前記環境光の影響が等しい範囲において同一であることを特徴とする。
【００１９】
これによれば、モニタ測色値及び基準白色値をより厳密に測定できるため、より正確に白色を調整することができる。
【００２０】
上記課題を解決するため、請求項４に記載の発明は請求項１乃至３のいずれか一項に記載のカラーモニタのキャリブレーション方法において、前記カラーモニタに表示された白色を前記１の測色器にて測定する際の前記１の測色器の測定位置は、前記カラーモニタに表示された白色箇所の大きさ、及び前記カラーモニタの表示画面と前記１の測色器の角度、及び前記カラーモニタの表示画面と前記環境光を作り出す照明光の光源の角度、及び前記１の測色器内における測色部と前記照明光方向における当該１の測色器の端部との長さ、に基づいて定められることを特徴とする。
【００２１】
これによれば、カラーモニタに表示された白色箇所のみを、測色器の影の映り込みを防いだ状態で測色可能に構成したので、モニタ測色値をより厳密に測定でき、より正確に白色を調整することができる。
【００２２】
上記課題を解決するため、請求項５に記載の発明は、請求項４に記載のカラーモニタのキャリブレーション方法において、前記カラーモニタに表示された白色を前記１の測色器にて測定する際における、前記カラーモニタの表示画面と前記１の測色器との距離をＬとし、前記カラーモニタに表示された白色箇所は、水平方向の長さをＰｘとし、垂直方向の長さをＰｙとした四角形の白色パッチであるとし、前記カラーモニタの表示画面と前記１の測色器の水平方向の角度をθw、垂直方向の角度をθhとし、前記カラーモニタの表示画面と前記環境光を作り出す照明光の光源の角度をθlとし、前記１の測色器内における測色部と前記照明光の光源方向における当該１の測色器の端部との長さをＭとすると、前記カラーモニタの表示画面と前記１の測色器との距離Lは、以下の式（１）乃至（３）を満たすことを特徴とする。
【００２３】
【数１】
2006349835.tif 000003
【００２４】
【数２】
2006349835.tif 000004
【００２５】
【数３】
2006349835.tif 000005
これによれば、カラーモニタに表示された白色パッチの大きさや、測色器の角度等を考慮しつつ、測色器の影の映り込みを防いだ状態で測色可能に構成したので、モニタ測色値をより厳密に測定でき、より正確に白色を調整することができる。
【００２６】
上記課題を解決するため、請求項６に記載の発明は、請求項１乃至５のいずれか一項に記載のカラーモニタのキャリブレーション方法によるキャリブレーションを行った後に行われるカラーモニタのプロファイル作成方法において、前記環境光を遮断した状態で、前記カラーモニタに表示した複数のカラーパッチを前記１の測色器にてそれぞれ測色して当該カラーモニタのプロファイルを作成する工程を有することを特徴とする。
【００２７】
これによれば、請求項１乃至５のいずれか一項に記載の発明の効果を反映させつつ、さらに同じ測色器を用いてプロファイルの作成を行なうことができる。
【００２８】
上記課題を解決するため、請求項７に記載の発明は、請求項６に記載のカラーモニタのプロファイル作成方法において、前記環境光を遮断した状態とは、前記カラーモニタの表示画面に前記１の測色器を接触させた状態であることを特徴とする。
【００２９】
これによれば、測定対象となるカラーモニタの表示画面に測色器を接触させた状態で測色することにより、環境光を遮断しつつ、しかも安定した測定を行なうことができる。
【発明の効果】
【００３０】
本発明によれば、カラーモニタのカラーマネジメントの際に行なわれる各段階において、種々の測色法のうちから、各段階の目的に応じた最適な測色法を各処理段階に適した測色を1台の測色器で行なうことが可能になる。
【発明を実施するための最良の形態】
【００３１】
以下、本発明の好適な実施の形態を添付図面に基づいて説明する。本実施形態は、カラーモニタのカラーマネジメントにおけるキャリブレーション及びプロファイル作成の際の各段階において、それぞれの段階の目的に適した測色を１台の測色器を用いて行なうカラーマネジメントシステムＳについて本発明を適用した例を示す。
【００３２】
［カラーマネジメントシステムＳの構成及び機能］
先ず、本実施形態に係るカラーマネジメントシステムＳについて、図１を用いて概念的に説明する。
【００３３】
図１は、本実施形態に係るカラーマネジメントシステムＳの構成の概略及び使用状態を示す説明図である。
【００３４】
同図に示すように、当該カラーマネジメントシステムＳは、カラーマネジメントの対象となるカラーモニタ１、基準となる白色を有する基準物体としての白色紙及びカラーモニタ１に表示された白色パッチやカラーパッチ等の測色を行なう測色器２、及び当該カラーモニタ１及び測色器２を接続し、実際にキャリブレーション及びプロファイル作成のための処理を行なうコンピュータ３、により構成されている。
【００３５】
カラーモニタ１は、例えば、カラーＣＲＴ、カラー液晶表示装置、カラープラズマディスプレイ表示装置等、光の三原色Ｒ（赤）、Ｇ（緑）、Ｂ（青）の加法混色によって色再現を行なう表示装置であればよい。
【００３６】
測色器２は、本実施形態では従来より市販されている接触型の測色器を用いる。
【００３７】
図２にコンピュータ３の概要構成例を示すブロック図を示す。同図に示す如くコンピュータ３は、演算機能を有するＣＰＵ（Central Processing Unit）、作業用ＲＡＭ（Random Access Memory）、各種データ及びプログラムを記憶するＲＯＭ（Read Only Memory）等から構成された制御部３１と、白色パッチデータ及びカラーパッチデータ等を記憶保存（格納）するためのＨＤ等から構成された記憶手段としての記憶部３２と、外部機器接続部３３、を備えて構成され、制御部３１、記憶部３２、及び外部機器接続部３３はバス３４を介して相互に接続されている。そして、制御部３１は、ＣＰＵがＲＯＭ又は記憶部３２等に記憶された後述するキャリブレーション／プロファイル作成プログラムを読み出して実行することにより、コンピュータ３全体を統括制御する。
【００３８】
制御部３１は、図示しないＣＰＵ、作業用ＲＡＭ、本発明のキャリブレーション／プロファイル作成プログラム等を含む各種制御プログラムやデータ等を記憶するＲＯＭ及び発振回路等を備えて構成されており、図示しない操作部からの操作信号に基づいて、当該操作信号に含まれている操作情報に対応する動作を実現すべく上記各構成部材を制御するための制御情報を生成し、バス３４を介して当該制御情報を該当する構成部材に出力して当該各構成部材の動作を統轄制御する。また、制御部３１は、ＲＯＭ等に記憶されたキャリブレーションプログラム及びプロファイル作成プログラムを実行することにより、他の構成部材と協動して本発明の測色値取得手段、白色調整手段、階調再現特性調整手段及びプロファイル作成手段として機能するようになっている。
【００３９】
ここで、上記ＲＯＭ又は記憶部３２に記憶されたキャリブレーションプログラム／プロファイル作成プログラムとは、カラーモニタのキャリブレーションを行なうためのキャリブレーションモジュール、カラーモニタのプロファイルを作成するためのプロファイル作成モジュール、及びキャリブレーションやプロファイル作成のためのメニューを表示したり、オペレータに所定の操作を案内するメッセージを表示したり、更にはウィンドウ表示により種々のパラメータの設定をオペレータに要求する表示を行なうための設定モジュールからなる。
【００４０】
外部接続部３３は、コンピュータ３に内蔵されたビデオカード、及び、ＶＧＡケーブル、ＤＶＩケーブル、ＢＮＣケーブルなどを介してカラーモニタ１へ指示信号を送出するためのものである。更に、シリアル方式、ＵＳＢ方式、ＩＥＥＥ１３９４、或いはその他の適宜な方式で測色器２からのデータを受信するように構成されている。
【００４１】
［カラーモニタのカラーマネジメント］
初めに、図１乃至図３を参照してカラーモニタのカラーマネジメントの具体的手法について説明する。
【００４２】
図３（Ａ）は、カラーモニタのカラーマネジメント処理を示すフローチャートであり、図３（Ｂ）はキャリブレーション処理を示すフローチャートであり、図３（Ｃ）は、白色キャリブレーション処理を示すフローチャートであり、そして図３（Ｄ）は、プロファイル作成処理を示すフローチャートである。なお、当該処理はコンピュータ３の制御部３１がキャリブレーションプログラム／プロファイル作成プログラムを実行することによって行われる。
【００４３】
図３（Ａ）に示すカラーモニタのカラーマネジメント処理は、先ず初めにキャリブレーション処理を行ない（ステップＳ１１）、その後プロファイル作成処理を行なう（ステップＳ１２）。
【００４４】
初めに、ステップＳ１１のキャリブレーション処理について、図３（Ｂ）及び図３（Ｃ）に示すフローチャートを用いて具体的に説明する。
【００４５】
１．キャリブレーション処理
１−１．白色キャリブレーション処理
先ず、白色キャリブレーション処理を行ない、白色の調整をする（ステップＳ２１）。続いて、当該上記ステップＳ２１の白色キャリブレーション処理の具体的内容を図３（Ｃ）に示すフローチャートを用いて説明する。
【００４６】
コンピュータ３の制御部３１は測色値取得手段として機能し、基準となる白色を有する基準物体としての白色紙の白色を測色器２にて測色して基準測色値を取得する（ステップＳ３１）。なお、この測色の際には、環境光が白色紙に照射された状態で測色を行なう。この環境光とは、空間の至る所に散乱され、測定室内全体に適度な明るさを与える程度の状態をいう。より具体的には、実際に測色を行なう測定環境（測定室内）の照明光が測定室内にある物体によって反射した光等の間接光をいい、更に白色紙の位置によっては、照明光から白色紙に直接照射された直接光を含む場合もあるものとする。なお、白色紙の測定の際には、実際のカラーモニタが観察されると予測される代表的な照明光を用いた測定環境で行なうのがよい。これにより、測色器２による測色の結果得られた三刺激値（ＸＹＺ）は、白色紙による照明光の影響が反映されたものとなる。
【００４７】
続いて、コンピュータ３の制御部３１は測色値取得手段及び白色調整手段として機能し、記憶部３２に予め記憶された白色パッチデータをカラーモニタ１に送出し、当該カラーモニタ１はコンピュータ３から受信した白色パッチデータに基づく白色パッチを表示し、当該白色パッチを測色器２にて測色してモニタ測色値を取得し、カラーモニタ１の白色調整を行ない（ステップＳ３２）処理を終了する。なお、白色パッチの測色の際にも上記ステップＳ３１における測色と同様にして適宜な環境光がカラーモニタ１に表示された白色パッチに照射された状態で測色を行なう。
【００４８】
ここで、カラーモニタ１の白色調整について具体的に説明する。先ず、ステップＳ３１にて取得された基準測色値と、ステップＳ３２にて取得されたモニタ測色値を測色器２から（或いはユーザが図示しない入力部を操作して得られた測色値を入力することにより）コンピュータ３内に取り込む。
【００４９】
そして、記憶部３２に記憶したキャリブレーションモジュールにより、基準測色値とモニタ測色値とを比較し、両者の差が所定の誤差の範囲内であるか否かを判定する。そして、所定の誤差の範囲外である場合には、キャリブレーションモジュールは、制御部３１から外部接続部３３を介してカラーモニタ１に信号送信する際に、当該外部接続部３３内にＲＧＢ毎に備えた図示しないビデオボードの調整を行ない、新たな白色を有する白色パッチをカラーモニタ１に表示させる。このとき制御部３１から出力されるＲＧＢの階調値は２５５のまま変更されない。なお、カラーモニタ１がアナログ形式であれば、外部接続部３３内に備えたＲ，Ｇ，Ｂ毎に備えたＤ／Ａ変換器の増幅器の利得を変更して調整してもよく、また、カラーモニタ１の本体にモニタ表示調整機能がある場合には、当該制御部３１は、外部接続部３３を介して当該カラーモニタ１にＲＧＢ調整指示信号を送信し、カラーモニタ１は受信したＲＧＢ調整指示信号に基づいてモニタ表示を調整するよう構成してもよい。
【００５０】
そして、引き続き新たな白色を有する白色パッチについて測色してモニタ測色値を取得し、基準測色値との差が所定の誤差の範囲内となるまでステップＳ３２の処理を行なう。所定の誤差の範囲の一例として、例えば、基準測色値が（Ｘ＝６０．７、Ｙ＝６２．７、Ｚ＝４６．９）であれば、モニタ測色値が（Ｘ＝６０．５〜６０．９、Ｙ＝６２．５〜６２．９、Ｚ＝４６．７〜４７．１）程度（つまりそれぞれ±０．２の範囲）が誤差の範囲であるものとする。なお、上記基準測色値（Ｘ＝６０．７、Ｙ＝６２．７、Ｚ＝４６．９）は、測定器２として市販の接触型測色器（Gretag Macbeth社ｉ1）を用い、後述する照明光の光源として色評価用Ｄ５０蛍光灯（HITACHI社 昼白色演色AAA FLR40S N-EDL／M・NU）を用い、照度５２０ルクスの下での試験条件にて測色されたものである。
【００５１】
なお、上記ステップＳ３１及びステップＳ３２における測色において、環境光が測定対象である白色紙及び白色パッチに照射された状態（環境光の影響が反映された状態）で行なう必要があるため、測色器２は、白色紙或いはカラーモニタ１の表示画面に接触させず、ある程度離した状態（非接触）であることがより好ましい。
【００５２】
図４（Ａ）にカラーモニタ１の表示画面を測定する際の測定位置の説明図を示す。同図に示す例に拠れば、測色器２は、カラーモニタ１の表示画面と距離Ｌだけ離れた位置で測定している。
【００５３】
図４（Ｂ）に測色器２とカラーモニタ１の距離Ｌと、測色値（ＸＹＺ）のグラフを示す。同図に示す如く、距離Ｌを変化させつつ測色を行っていくと、測色値であるＸ値、Ｙ値、Ｚ値の全ての数値が下がり始める降下点が得られる。これは、測色器２がカラーモニタ１に表示された白色パッチ以外の箇所、すなわち白色パッチの外側の表示画面部分までも併せて測色してしまうことに起因する。従って、測色器２とカラーモニタ１の表示画面の距離Ｌは、降下点に対応する距離Ｌ′よりも近い（小さい）ことが好ましい。
【００５４】
なお、測色器２と白色紙との距離Ｌも上記と同様に測色値であるＸ値、Ｙ値、Ｚ値の全ての数値が下がり始める降下点を求め、当該降下点に対応する距離Ｌ′よりも近い（小さい）ことが好ましい。さらに、白色紙を測色する際の、白色紙と測色器２との距離Ｌと、カラーモニタ１に表示された白色パッチを測色する際の、カラーモニタ１の表示画面と測色器２との距離Ｌは、環境光の影響を等しく測定結果に反映させるため、同じであることが好ましい。従って厳密に同一距離でなくとも、白色紙の白色を測色した測色結果に反映される白色紙に照射される環境光の影響と、カラーモニタ１に表示された白色パッチを測色した測色結果に反映されるカラーモニタ１に表示された白色パッチに照射される環境光の影響が、等しい程度（等しい範囲）において上記距離Ｌが同一であればよく、例えば、白色紙の白色を測色するときには、当該白色紙をカラーモニタ１の表示画面上に載置させて、或いは当該表示画面に立てかけて、測色を行なえばよい。なお、この場合、カラーモニタ１の表示画面からの光が測色器２にて測色されることのないよう、カラーモニタ１には何も表示させないよう構成することが好ましい。更にまた、測色器２の測定位置は、測色器２の影が測定対象である白色紙やカラーモニタ１に表示された白色パッチに映り込まない位置であることが好ましい。
【００５５】
１−２．階調再現特性キャリブレーション処理
そして、図３（Ｂ）に示すフローチャートに戻ってステップＳ２２にて行われる階調再現特性キャリブレーション処理について説明する。
【００５６】
制御部３１は、階調再現特性調整手段として機能し、記憶部３２に予め記憶されたカラーパッチデータのカラーパッチデータをカラーモニタ１に送出し、当該カラーモニタ１はコンピュータ３から受信したカラーパッチデータに基づくカラーパッチを表示し、当該カラーパッチを測色器２にて測色して階調再現特性の調整を行なう（ステップＳ２２）。その後処理を終了する。このカラーパッチは、例えば、ＲＧＢそれぞれ同じ値を有するグレースケールを用いる。
【００５７】
より具体的に説明すると、記憶部３２に記憶したキャリブレーションモジュールによって、制御部３１は記憶部３２に予め記憶されたＲＢＧ値（Ｒ、Ｇ，Ｂは夫々等しい）を出力し、カラーモニタ１には当該ＲＧＢ値に対応したグレースケールが表示される。そして測色器２にて表示されたグレースケールを測色して、取得された測色値を測色器２から（或いはユーザが図示しない入力部を操作して得られた測色値を入力することにより）コンピュータ３内に取り込む。そしてキャリブレーションモジュールはＲＧＢの値を種々変化させて、カラーモニタ１によるグレースケールの表示と、測色器２による測色を繰り返し行なう。なお、いくつのグレースケールの測色値を得るかは任意に定めることができ、グレースケールの数が多いほど階調再現特性を高精度に定めることができる。また、カラーパッチの他の例として、ＲＧＢのそれぞれついて複数の階調を有する単色のスケールを用いてもよい。
【００５８】
そして、ユーザが図示しない入力部を操作することによって入力されたＲＧＢ毎のγ値（ガンマ値）のγ特性を考慮して、カラーモニタ１に表示される輝度を入力されたγ値のγ特性と一致させるべく、制御部３１の制御に基づいて外部接続部３３内に備えたビデオボードにて調整を行ない、ＲＧＢ毎にルックアップテーブルを作成する。
【００５９】
なお、カラーモニタ１の本体にモニタ表示調整機能がある場合には、ルックアップテーブルをカラーモニタ１内に保持するよう構成してもよい。この場合、まず制御部３１は、外部接続部３３を介して当該カラーモニタ１に入力されたγ値に基づいてＲＧＢ調整指示信号を送信し、カラーモニタ１は受信したＲＧＢ調整指示信号に基づいて調整を行なう。そして、カラーモニタ１は調整結果を制御部３１に返信し、制御部３１はこれに基づいてＲＧＢ毎にルックアップテーブルを作成し、当該ルックアップテーブルを外部接続部３３を介してカラーモニタ１に送信し、カラーモニタ１は受信したルックアップテーブルをカラーモニタ１内に備えた図示しないメモリ等に保持する。
【００６０】
なお、上記ステップＳ２２における測色は、カラーモニタ１の機器固有の表示特性を測るため、環境光を遮断した状態で測定されることが望ましい。一例として、測定対象となるカラーモニタ１の表示画面に測色器２を接触させた状態（接触）であれば、環境光を遮断しつつ、しかも安定した測定を行なうことができる。
【００６１】
なお、上述したステップＳ２１及びステップＳ２２の処理は何れの順序でおこなってもよい。すなわち、所望のγ値を用いて階調再現特性を調整した（上記ステップＳ２２）後に、Ｒ、Ｇ、Ｂの値が全て２５５となるような白色の調整を行なう（上記ステップＳ２１）ことも可能である。
【００６２】
そして、図３（Ａ）に示すフローチャートに戻り、プロファイル作成処理を行ない（ステップＳ１２）処理を終了する。
【００６３】
続いて、図３（Ｄ）に示すフローチャートを用いてステップＳ１２にて行われるプロファイル作成処理について詳細に説明する。
【００６４】
２．プロファイル作成処理
ここで作成されるプロファイルは、カラーモニタ１に再現される色を、デバイスに依存しない標準色空間を介して印刷機やプリンタ等の他のデバイスによって再現される色に合わせるための色変換に用いるものである。
【００６５】
ところで、標準色空間としてのＣＩＥ ＸＹＺを用いた場合、カラーモニタ１に階調値Ｒ，Ｇ，Ｂの信号を入力し、そのときにカラーモニタ１に実際に表示される色の測色値をＸ，Ｙ，Ｚは次の式（４）で示す行列式として表されることが知られている。
【００６６】
【数４】
2006349835.tif 000006
式（４）において、Ｘ値、Ｙ値、Ｚ値は、ガンマ値（γ値）γにおいて、ＸＲ、ＹＲ、ＺＲは赤の原色（Ｒ＝２５５、Ｇ＝Ｂ＝０）、ＸＧ、ＹＧ、ＺＧは緑の原色（Ｒ＝０、Ｇ＝２５５、Ｂ＝０）、ＸB、ＹB、ＺBは青の原色（Ｒ＝Ｇ＝０、Ｂ＝２５５）のみが表示された場合の測色色度である。
【００６７】
すなわち、式（４）は、階調値がそれぞれＲ，Ｇ，Ｂの信号をカラーモニタ１に入力した場合に表示される色の測色値Ｘ、Ｙ、Ｚを表示しており、これは当該カラーモニタ１についてのプロファイルのうち、カラーモニタ１に固有のＲＧＢによる色空間の色（デバイス依存色空間）を、ＣＩＥＸＹＺの標準色空間の色に変換するための変換式である。
【００６８】
そして、式（４）をＲ，Ｇ，Ｂについて解いた式が、まさにＣＩＥ ＸＹＺの標準色空間の色をカラーモニタ１に固有のＲＧＢによる色空間の色（デバイス依存色空間）に変換するための変換式となる。従って、ステップＳ１２にて行われるプロファイル作成処理では、先ず、プロファイル作成モジュールによって上記式（４）を特定する必要がある。
【００６９】
なお、本実施形態では、キャリブレーション処理の後に続けてプロファイル作成処理を行なうため、白色キャリブレーション処理及び階調再現特性キャリブレーション処理は敢えて行なう必要はなく、上記ステップＳ３１、ステップＳ２２の処理において使用した基準となる白色の基準測色値やγ値を、記憶部３２に一時的に記憶させておき、プロファイル作成モジュールは記憶部３２より取得するよう構成すればよい。もし、キャリブレーション処理を行なっていない場合や、測定条件の変動（測定器２の機種変更や、照明光の変更による環境光の影響等の変動）により、再度測定する必要がある場合には、上記キャリブレーション処理と同様の処理を行なう必要がある。
【００７０】
上記式（４）におけるＸＲ、ＹＲ、ＺＲ、ＸＧ、ＹＧ、ＺＧ、ＸＢ、ＹＢ、ＺＢを求めるべく、図３（Ｄ）の処理において、先ず、制御部３１は、プロファイル作成手段として機能し、カラーモニタ１に表示したＲＧＢ三原色を示す複数のカラーパッチを測色器２にてそれぞれ測色する（ステップＳ４１）。
【００７１】
そして、記憶部３２に一時的に記憶させた上記ステップＳ３１、ステップＳ２２の処理において使用した基準となる白色の基準測色値やγ値を取得し（ステップＳ４２）、これらに基づいてカラーモニタ１のプロファイルを作成して（ステップＳ４３）、処理を終了する。なお、測色の際には、上記ステップＳ２２における測色と同様に、カラーモニタ１の機器固有の表示特性を測るため、環境光を遮断した状態で測定されることが望ましい。一例として、測定対象となるカラーモニタ１のカラーパッチが表示された表示画面に測色器２を接触させた状態（接触）であれば、環境光を遮断しつつ、しかも安定した測定を行なうことができる。
【００７２】
以上説明した本実施形態によれば、カラーモニタのカラーマネジメントの際に行なわれる各段階において、種々の測色法のうちから、各段階の目的に応じた最適な測色法を各処理段階に適した測色を1台の測色器で行なうことが可能になる。
【００７３】
なお、上記実施形態においては、標準色空間としてＣＩＥＸＹＺ空間を用いたが、これに限らず、他の色空間例えば国際照明委員会（ＣＩＥ）が定めた１９７６ＣＩＥＬａｂ空間であってもよい。
【００７４】
［その他の変形形態］
続いて、図３（Ｂ）ステップＳ２１及び図３（Ｃ）のフローチャートを用いて説明した白色キャリブレーション処理にて行なわれる測色について、より好ましい測色法を説明する。
【００７５】
上述したように、白色キャリブレーション処理における測色では、環境光が測定対象である白色パッチに照射された状態（環境光の影響が反映された状態）で測色を行なう必要があるため、測色器２による測色位置はカラーモニタ１の表示画面に接触させず、ある程度離した位置が好ましく、また、測色器２の影が測定対象であるカラーモニタ１に表示された白色パッチに映りこまないような位置であることが好ましい。
【００７６】
従って、カラーモニタ１に表示された白色パッチの白色を測色器２にて測定する際における測色器２の測定位置は、カラーモニタ１に表示された白色箇所の大きさ（本実施形態によれば白色パッチの大きさ）、及びカラーモニタ１の表示画面と測色器２の角度、及びカラーモニタ１の表示画面と環境光を作り出す照明光の光源の角度、及び測色器２内における測色部と、照明光方向における測色器２の端部との長さ、に基づいて定めることが好ましい。
【００７７】
一例を図５及び図６を用いて説明する。図５は、白色パッチを表示させたカラーモニタ１の表示例である。図６（Ａ）乃至（Ｃ）は、カラーモニタ１の表示画面を測定する際の測色器２の測定位置の説明図である。
【００７８】
図５及び図６に示す如く、カラーモニタ１に表示された白色パッチの白色を測色器２にて測定する際の、カラーモニタ１の表示画面と測色器２との距離をＬとし、カラーモニタ１に表示された白色パッチの水平方向の長さをＰｘ、垂直方向の長さをＰｙとし、カラーモニタ１の表示画面と測色器２の水平方向の角度をθw、垂直方向の角度をθhとし、カラーモニタ１の表示画面と環境光を作り出す照明光の光源の角度をθlとし、測色器２内における測色部と照明光の光源方向（図６（Ａ）に示す場合においては図面上方向）における測色器２の端部との長さをＭとすると、カラーモニタ１の表示画面と測色器２との距離L以下の式（１）乃至（３）を全て満たすことが望ましい。
【００７９】
【数１】
2006349835.tif 000007
【００８０】
【数２】
2006349835.tif 000008
【００８１】
【数３】
2006349835.tif 000009
上記式（１）及び（２）は、カラーモニタ１に表示された白色パッチの大きさを考慮したものであり、式（３）は測色器２のカラーモニタ１への映りこみ防止を考慮したものである。
【００８２】
上述の如く、カラーモニタ１に表示された白色パッチの大きさと、測色器２のカラーモニタ１への映りこみを考慮して測色器２による測色位置を決定することによって、より正確な測色を行なうことができ、１台の測色器のみを用いて良好なカラーモニタのキャリブレーション及びこれに基づくプロファイル作成を行なうことが可能になる。
【図面の簡単な説明】
【００８３】
【図１】本実施形態に係るカラーマネジメントシステムＳの構成の概略及び使用状態を示す説明図である。
【図２】コンピュータ３の概要構成例を示すブロック図である。
【図３】（Ａ）カラーモニタのカラーマネジメント処理示すフローチャートである。（Ｂ）はキャリブレーション処理を示すフローチャートである。（Ｃ）は白色キャリブレーション処理を示すフローチャートである。（Ｄ）は、プロファイル作成処理を示すフローチャートである。
【図４】（Ａ）カラーモニタ１の表示画面を測定する際の測定位置の説明図である。（Ｂ）測色器２とカラーモニタ１の距離Ｌと、測色値（ＸＹＺ）のグラフである。
【図５】白色パッチを表示させたカラーモニタ１の表示例である。
【図６】カラーモニタ１の表示画面を測定する際の測色器２の測定位置の説明図である。
【符号の説明】
【００８４】
Ｓ  カラーマネジメントシステム
１  カラーモニタ              
２  測色器
３  コンピュータ
３１  制御部
３２  記憶部
３３  外部機器接続部
３４  バス
Ｓ  カラーマネジメントシステム
【図１】
2006349835.tif 000016
【図２】
2006349835.tif 000017
【図３】
2006349835.tif 000018
【図４】
2006349835.tif 000019
【図５】
2006349835.tif 000020
【図６】
2006349835.tif 000021